(57)【要約】【課題】  比較的廉価で粉体の詰まりが発生し難く、安定に連続して運転することができ、その上、投入量と投入速度を容易に調整することが可能な粉体投入装置の実現を目的とする。【解決手段】  粉体を貯留する貯留槽６と、この貯留槽６内に位置し、貯留された粉体４が順次充填される１乃至複数の凹部７を有する回転体１と、この回転体１を回転駆動させるモータ８とを有する粉体投入装置１０であって、凹部７内に充填された粉体４が回転体１の回転に伴って所定量づつ粉体投入口２から下方に落下して提供される。【選択図】    図１
2006248718.tif 000002
【特許請求の範囲】
【請求項１】
粉体を貯留する貯留部と、
前記貯留部内に位置し貯留された前記粉体が順次その内部に充填される１乃至複数の凹部を有する回転体と、
前記回転体を回転駆動させる駆動手段とを有する粉体投入装置であって、
前記凹部内に充填された前記粉体は、前記回転体の回転に伴って所定量づつ下方に落下して提供されることを特徴とする粉体投入装置。
【請求項２】
前記回転体は、その回転速度が可変可能であることを特徴とする請求項1に記載の粉体投入装置。
【請求項３】
前記回転体は、その回転方向を必要に応じてあるいは定期的に切り替え可能であることを特徴とする請求項１又は請求項２に記載の粉体投入装置。
【発明の詳細な説明】
【技術分野】
【０００１】
本発明は、粉体投入装置に関し、特に、所定量の粉体を連続して投入することが可能な粉体投入装置に関する。
【背景技術】
【０００２】
所定量の粉体を連続して投入することができる粉体投入装置は、例えば、薬の配合、セメントの配合、研磨装置、水処理装置、汚泥処理装置など多方面で必要とされ、従来から種々のものが開発されてきている。
例えば、特許文献１に開示されているように、貯留槽の中の粉体を、掻き落としフィンで計量槽に送り出し、回転する目皿の計量孔に充填し、すりきり板で規制して供給口から送り出す構成のものや、特許文献２に開示されているように、円筒形の撹拌室の外周に排出穴を設け、撹拌室の下方に定量排出手段を設け、定量排出手段が軸心を中心に回転することで所定量の軽比重粒子を外周に排出するようにしたものや、特許文献３に開示されているように、供給盤の外周壁面と羽根側面とケーシングの内壁面と底面とで仕切られた粉体空間に所定量収容された粉体が通過するケーシングの底面に計量孔を開口し、この計量孔にロードセルの計測面を配設して、計測面を通過する粉体の重量を計測してその重量値と供給盤の回転数に基づいて粉体の供給量を計量するようにしたもの、などが提案されている。
【特許文献１】特開２００４―２８６５１３号公報
【特許文献２】特開２００２―２９２６２１号公報
【特許文献３】特開２００４―３０９２４４号公報
【発明の開示】
【発明が解決しようとする課題】
【０００３】
しかしながら、以上に開示されている各装置は、何れも構成が複雑であって高価であり、充分なメンテナンスを必要とするため、ランニングコストも高いものになるという欠点があった。汚水処理装置で凝集剤を投入する場合に用いる投入装置としては、ここまでの精度を要求しない。しかし、従来のものでは凝集剤が投入過程で詰まりやすく、また、投入量を処理対象水に応じて変化させることが困難であった。
【０００４】
従って、本発明の目的は、精度はさほど要求しないが、比較的廉価で粉体の詰まりが発生し難く、安定に連続して運転することができ、且つ、投入量と投入速度を容易に制御することが可能な粉体投入装置を提供することにある。
【課題を解決するための手段】
【０００５】
本発明は、上記目的を達成するため、粉体を貯留する貯留部と、前記貯留部内に位置し、貯留された前記粉体が順次その内部に充填される１乃至複数の凹部を有する回転体と、前記回転体を回転駆動させる駆動手段とを有する粉体投入装置であって、前記凹部内に充填された前記粉体は、前記回転体の回転に伴って所定量づつ下方に落下して提供されることを特徴とする粉体投入装置を提供するものである。
【０００６】
以上の構成において、前記回転体は、その回転速度が可変可能であることが望ましい。
【０００７】
また、前記回転体の回転方向は、必要に応じてあるいは定期的に切り替え可能であることが望ましい。
【発明の効果】
【０００８】
以上のように、本発明は、粉体を貯留する貯留部と、貯留部内に位置し、貯留された粉体が順次投入される１乃至複数の凹部を有する回転体と、回転体を回転駆動させる駆動手段とを有する粉体投入装置であって、凹部内に投入された粉体を、回転体の回転に伴って所定量づつ下方に落下して提供するようにしたので、詰まりが発生し難く粉体投入を安定に効率的に行うことができる。また、回転体の回転速度を可変可能とし、その回転体の回転方向を、必要に応じてあるいは定期的に切り替え可能にしたので、粉体の投入速度及び投入量の調整が容易な、粉体投入装置を廉価に提供することができる。
【発明を実施するための最良の形態】
【０００９】
以下、本発明の実施の形態に係る粉体投入装置を、添付図面を参照しながら詳細に説明する。
図１は、本発明の実施の形態に係る粉体投入装置の要部を一部透視して示した正面図であり、図２はその側面図である。
図１及び図２に示すように、この粉体投入装置１０は、粉体４が貯留される貯留槽６と、貯留槽６内に貯留された粉体４を所定量だけ受け入れて、その受け入れた粉体４を粉体投入口２から下方に投入する回転体１と、から構成される。
【００１０】
以上の構成において、粉体４は、貯留槽６の上部に開口されている粉体供給口５から貯留槽６内に投入されるものである。また、回転体１は、図２に示すように、回転軸３を中心にモータ８で回転駆動されるものであり、その回転体の外周には１ないし複数個の凹部７が形成されている。なお、図においては、凹部７は対向する位置に２つ形成されている例を示している。
【００１１】
以上の構成を有する本発明の実施の形態に係る粉体投入装置の動作を図１及び図２に沿って説明する。
まず、この粉体投入装置１０は、粉体４を投入しようとしている場所の上に設けられることを前提とする。粉体４は、予め貯留槽６の上側の粉体供給口５から貯留槽６内に供給されろ。貯留槽６内に供給された粉体４は、順次積み上げられていくが、最下部に位置する粉体４は、その重さで、回転体１の外周に設けられた１ないし複数個の凹部７に充填される。換言すると、凹部７の容量分だけ粉体４が凹部７に充填される。
【００１２】
この状態で、モータ８に電源を投入し回転軸３を回転駆動させると、回転体１が所定方向に回転し、回転体１の凹部７内に充填された粉体４は回転によって貯留槽６の下部壁面で摺り切られながら、下方へ回転移動する。そして、粉体投入口２の位置に来たとき、凹部７の容量によって決まる所定量が粉体投入口２から下方へ投入される。なお、回転体１の回転方向には特に制限はない。
【００１３】
このように、凹部７内に充填された粉体４を、回転体１の回転に伴って所定量づつ下方に落下させるようにしたので、粉体４の投入を安定に、かつ、効率的に行うことができる。
【００１４】
また、構成が比較的簡単なため、粉体投入装置１０は廉価に実現でき、回転体１の周囲や粉体投入口２で粉体４の詰まりが発生しずらいので、粉体投入装置１０の清掃やメンテナンスも容易である。また、必要に応じてあるいは定期的にモータ８の回転を切替えて、回転体１の回転方向を変えることで、粉体４の詰まりに対処したり、予防したりすることができる。更に、回転体１に設けられた凹部７の数や大きさあるいは深さを変えたり、モータ８の回転数を変えたりすることによって、粉体４の投入量、投入間隔、投入速度を容易に変更することができる。
【産業上の利用可能性】
【００１５】
本発明の粉体投入装置は、基本的には汚水処理装置の凝集剤投入用に開発したものであるが、使用上の制限が少ないので、粉体を投入するあらゆる場所に利用することができ、広範な産業上で活用することができる。
【図面の簡単な説明】
【００１６】
【図１】本発明の粉体投入装置の一部透視正面図である。
【図２】本発明の粉体投入装置の側面図である。
【符号の説明】
【００１７】
１    回転体
２    粉体投入口
３    回転軸
４    粉体
５    粉体供給口
６    貯留槽
７    凹部
８    モータ
１０  粉体投入装置
【図１】
2006248718.tif 000003
【図２】
2006248718.tif 000004